【手続補正書】
【提出日】平成18年3月31日(2006.3.31)
【手続補正１】
【補正対象書類名】明細書
【補正対象項目名】発明の名称
【補正方法】変更
【補正の内容】
【発明の名称】車両運行システム
【手続補正２】
【補正対象書類名】明細書
【補正対象項目名】特許請求の範囲
【補正方法】変更
【補正の内容】
【特許請求の範囲】
【請求項１】  画像データのプリントを受注する受注手段と、車両の運行目的地を取得する目的地取得手段と、画像データをプリントするプリンタと、
前記プリンタによりプリントされた商品を前記目的地取得手段で取得した目的地で受け渡しできるように制御する制御手段とを備えることを特徴とする車両運行システム。
【請求項２】  請求項１に記載の車両運行システムにおいて、前記制御手段は、配送を手配する手配手段とを備えることを特徴とする車両運行管理システム。
【請求項３】  請求項１に記載の車両運行システムにおいて、前記制御手段は、前記目的地に設けられたプリンタに対してプリントを指示することを特徴とする車両運行システム。
【請求項４】  画像データのプリントを受注する受注手段と、車両の運行目的地への到着時間を取得する到着時間取得手段と、画像データをプリントするプリンタと、
前記プリンタによりプリントされた商品を前記到着時間取得手段で取得した到着時間に受け渡しできるように制御する制御手段とを備えることを特徴とする車両運行システム。
【請求項５】  請求項４に記載の車両運行システムにおいて、前記制御手段は、前記プリンタでのプリント開始時間を制御することを特徴とする車両運行システム。
【請求項６】  外部コンピュータと通信する通信手段と、前記通信手段を介して前記外部コンピュータに画像データのプリントを注文する発注手段と、
前記目的地へ到着前に前記最終注文手段による最終的なプリント注文を促すよう制御する制御手段とを備えることを特徴とする車両運行システム。
【請求項７】  請求項６に記載の車両運行システムにおいて、前記車両が目的地から所定距離以内になったことを検出する検出手段を備え、前記制御手段は、前記検出手段の検出結果に応じて前記最終的なプリント注文を促すことを特徴とする車両運行システム。
【請求項８】  請求項１〜請求項７に記載の車両運行システムにおいて、
前記車両はレンタカーであり、前記運行目的地は前記レンタカーの返却場所であることを特徴とする車両運行システム。
【請求項９】  画像データのプリントを注文する発注手段と、前記発注手段で発注したプリント代金の精算を指示する精算指示手段と、前記車両の目的地到着前に前記精算指示手段によるプリント代金の精算を指示するよう制御する制御手段とを備えることを特徴とする車両運行システム。
【請求項１０】  請求項９に記載の車両運行システムにおいて、前記車両はレンタカーであり、前記運行目的地は前記レンタカーの返却場所であることを特徴とする車両運行システム。
【請求項１１】  請求項１０に記載の車両運行システムにおいて、前記制御手段は、前記プリント代金の精算とともにレンタカー料金の精算も指示するよう制御することを特徴とする車両運行システム。
【請求項１２】  車両内に設けられ、デジタルカメラから受信した画像データを蓄積するメモリと、前記メモリ内の画像データを前記車両の運行目的地到着後も閲覧できるようにバックアップするバックアップ手段と、前記運行目的地到着前に、前記メモリ内の画像データをバックアップするように制御する制御手段とを備えることを特徴とする車両運行システム。
【請求項１３】  請求項１２に記載の車両運行システムにおいて、外部コンピュータと通信する通信手段を有し、前記バックアップ手段は、前記通信手段を介して前記メモリ内の画像データを外部コンピュータに送信することを特徴とする車両運行システム。
【請求項１４】  請求項１２に記載の車両運行システムにおいて、電子メールを送信する電子メール手段を有し、前記バックアップ手段は、前記電子メール手段により前記メモリ内の画像データを電子メールとして送信することを特徴とする車両運行システム。
【請求項１５】  請求項１２に記載の車両運行システムにおいて、携帯可能なメモリにデータを記憶する記憶手段を有し、前記バックアップ手段は、前記メモリ内の画像データを携帯できるメモリに記憶することを特徴とする車両運行システム。
【請求項１６】  請求項１２に記載の車両運行システムにおいて、前記制御手段は、前記メモリ内の画像データのバックアップを前記車両の使用者に催促することを特徴とする車両運行システム。
【請求項１７】  請求項１２に記載の車両運行システムにおいて、前記運行目的地からの距離が所定距離以内になったことを検出する検出手段を備え、前記制御手段は、前記検出手段の検出結果に応じて、画像データをバックアップするよう制御することを特徴とする車両運行システム。
【請求項１８】  車両内に設けられ、デジタルカメラから受信した画像データを蓄積するメモリと、前記メモリ内の画像データを消去する消去手段と、
前記車両の運行目的地到着前に、前記メモリ内の画像データを自動的に消去するよう前記消去手段を制御する制御手段とを備えることを特徴とする車両運行システム。
【請求項１９】  請求項１８に記載の車両運行システムにおいて、前記車両の運行目的地からの距離が所定距離以内になったことを検出する検出手段を備え、前記制御手段は、前記検出手段の検出結果に応じて、画像データを自動的に消去するよう制御することを特徴とする車両運行システム。
【請求項２０】  請求項１２〜請求項１９に記載の車両運行システムにおいて、前記車両はレンタカーであり、前記運行目的地は前記レンタカーの返却場所であることを特徴とする車両運行システム。
【手続補正３】
【補正対象書類名】明細書
【補正対象項目名】０００７
【補正方法】変更
【補正の内容】
【０００７】
【課題を解決するための手段】
請求項１に記載の発明では、車両運行システムにおいて、画像データのプリントを受注する受注手段と、車両の運行目的地を取得する目的地取得手段と、画像データをプリントするプリンタと、前記プリンタによりプリントされた商品を前記目的地取得手段で取得した目的地で受け渡しできるように制御する制御手段とを備える構成とした。これにより、車両使用者は、運行の目的地でプリント発注したプリントを受け取ることが可能となり、車両使用者の手間を大幅に省くことができる。
【手続補正４】
【補正対象書類名】明細書
【補正対象項目名】０００８
【補正方法】変更
【補正の内容】
【０００８】
請求項２に記載の発明では、請求項１に記載の車両運行システムにおいて、前記制御手段は、配送を手配する手配手段とを備える構成とした。
請求項３に記載の発明では、請求項１に記載の車両運行システムにおいて、前記制御手段は、前記運行目的地に設けられたプリンタに対してプリントを指示する構成とした。
請求項４に記載の発明では、車両運行システムにおいて、画像データのプリントを受注する受注手段と、車両の運行目的地への到着時間を取得する到着時間取得手段と、画像データをプリントするプリンタと、前記プリンタによりプリントされた商品を前記到着時間取得手段で取得した到着時間に受け渡しできるように制御する制御手段とを備える構成とした。これにより、車両の使用者は、運行目的地への到着と同時にプリントを受け取ることができ、無駄な時間を費やすことが無い。
【手続補正５】
【補正対象書類名】明細書
【補正対象項目名】０００９
【補正方法】変更
【補正の内容】
【０００９】
請求項５に記載の発明では、請求項４に記載の車両運行システムにおいて、前記制御手段は、前記プリンタでのプリント開始時間を制御する構成とした。
請求項６に記載の発明では、車両運行システムにおいて、外部コンピュータと通信する通信手段と、前記通信手段を介して前記外部コンピュータに画像データのプリントを注文する発注手段と、前記目的地へ到着前に前記最終注文手段による最終的なプリント注文を促すよう制御する制御手段とを備える構成とした。これにより、車両使用者は、プリント発注をし忘れることを軽減できる。
【手続補正６】
【補正対象書類名】明細書
【補正対象項目名】００１０
【補正方法】変更
【補正の内容】
【００１０】
請求項７に記載の発明では、請求項６に記載の車両運行システムにおいて、前記車両が目的地から所定距離以内になったことを検出する検出手段を備え、前記制御手段は、前記検出手段の検出結果に応じて前記最終的なプリント注文を促す構成とした。これにより、車両使用者は、早々とプリント発注してしまい後で追加発注することや、最終的にいらない画像をプリントをしてしまうことを軽減する。
【手続補正７】
【補正対象書類名】明細書
【補正対象項目名】００１１
【補正方法】変更
【補正の内容】
【００１１】
請求項８に記載の発明は、請求項１〜７に記載の車両運行システムにおいて、前記車両はレンタカーであり、前記運行目的地は前記レンタカーの返却場所としたものである。
請求項９に記載の発明では、車両運行システムにおいて、画像データのプリントを注文する発注手段と、前記発注手段で発注したプリント代金の精算を指示する精算指示手段と、前記車両の目的地到着前に前記精算指示手段によるプリント代金の精算を指示するよう制御する制御手段とを備える構成とした。
請求項１０に記載の発明は、請求項９に記載の車両運行システムにおいて、前記車両はレンタカーであり、前記運行目的地は前記レンタカーの返却場所としたものである。これにより、レンタカー返却時や、レンタカー返却後に煩わしい精算をすることがない。
請求項１１に記載の発明では、請求項１０に記載のレンタカーシステムにおいて、前記制御手段は、前記プリント代金の精算とともにレンタカー料金の精算も指示するよう制御する構成とした。
【手続補正８】
【補正対象書類名】明細書
【補正対象項目名】００１２
【補正方法】変更
【補正の内容】
【００１２】
請求項１２に記載の発明では、車両運行システムにおいて、車両内に設けられ、デジタルカメラから受信した画像データを蓄積するメモリと、前記メモリ内の画像データを前記車両の運行目的地到着後も閲覧できるようにバックアップするバックアップ手段と、前記運行目的地到着前に、前記メモリ内の画像データをバックアップするように制御する制御手段とを備える構成とした。これにより、車両使用者は、運行目的地到着後でも画像データを閲覧することができる。
【手続補正９】
【補正対象書類名】明細書
【補正対象項目名】００１３
【補正方法】変更
【補正の内容】
【００１３】
請求項１３に記載の発明では、請求項１２に記載の車両運行システムにおいて、外部コンピュータと通信する通信手段を有し、前記バックアップ手段は、前記通信手段を介して前記メモリ内の画像データを外部コンピュータに送信する構成とした。
請求項１４に記載の発明では、請求項１２に記載の車両運行システムにおいて、電子メールを送信する電子メール手段を有し、前記バックアップ手段は、前記電子メール手段により前記メモリ内の画像データを電子メールとして送信する構成とした。
【手続補正１０】
【補正対象書類名】明細書
【補正対象項目名】００１４
【補正方法】変更
【補正の内容】
【００１４】
請求項１５に記載の発明では、請求項１２に記載の車両運行システムにおいて、携帯可能なメモリにデータを記憶する記憶手段を有し、前記バックアップ手段は、前記メモリ内の画像データを携帯できるメモリに記憶する構成とした。
請求項１６に記載の発明では、請求項１２に記載の車両運行システムにおいて、前記制御手段は、前記メモリ内の画像データのバックアップを使用者に催促する構成とした。
【手続補正１１】
【補正対象書類名】明細書
【補正対象項目名】００１５
【補正方法】変更
【補正の内容】
【００１５】
請求項１７に記載の発明では、請求項１２に記載の車両運行システムにおいて、前記運行目的地からの距離が所定距離以内になったことを検出する検出手段を備え、前記制御手段は、前記検出手段の検出結果に応じて、画像データをバックアップするよう制御する構成とした。
請求項１８に記載の発明では、車両運行システムにおいて、車両内に設けられ、デジタルカメラから受信した画像データを蓄積するメモリと、前記メモリ内の画像データを消去する消去手段と、前記車両の運行目的地到着前に、前記メモリ内の画像データを自動的に消去するよう前記消去手段を制御する制御手段とを備える構成とした。これにより、車両使用者が自身で画像データを消去する操作を施す必要が無い。また、画像データによりメモリ容量を減らすことを防げる。また、運行目的地到着後に他人による画像データの使用を防ぐことができる。
【手続補正１２】
【補正対象書類名】明細書
【補正対象項目名】００１６
【補正方法】変更
【補正の内容】
【００１６】
請求項１９に記載の発明では、請求項１８に記載の車両運行システムにおいて、前記車両の運行目的地からの距離が所定距離以内になったことを検出する検出手段を備え、前記制御手段は、前記検出手段の検出結果に応じて、画像データを自動的に消去するよう制御する構成とした。
請求項１２〜請求項１９に記載の発明は、請求項１２〜請求項１９に記載の車両運行システムにおいて、前記車両はレンタカーであり、前記運行目的地は前記レンタカーの返却場所であるとしたものである。
【手続補正１３】
【補正対象書類名】明細書
【補正対象項目名】００１７
【補正方法】変更
【補正の内容】
【００１７】
【発明の実施の形態】
以下に、図面を用いて本発明の実施の形態について説明する。
（第１実施形態）
図１は、第１実施形態のカメラシステムの概要を示す機能ブロック図である。
図１において、第１実施形態のカメラシステムは、カメラ付き携帯電話１、プロバイダ２８、認証サーバ３、画像蓄積サーバ４、プリントサーバ５、パソコン７により構成される。
【手続補正１４】
【補正対象書類名】明細書
【補正対象項目名】０１１３
【補正方法】変更
【補正の内容】
【０１１３】
ステップＳ５００１では、ＧＰＳセンサ１１１の機能を使用してレンタカーの返却場所との距離が所定距離以内になったか否かを判定する。なお、車載コンピュータ２０１は、ナビゲーションの目的地としてレンタカーの店舗が選択されると、目的地として選択された場所をレンタカー返却場所であると判断する。例えば、ここでの所定距離は１０ｋｍとする。所定距離以内である場合にはステップＳ５００２に進み、所定距離以内でない場合には判定を継続する。ステップＳ５００２では、レンタカーが停止中であるか否かを検出する。自動車が停止中である場合にはステップＳ５００３に進み、停止中でない場合には検出を継続する。
停止中で無い時は、運転に集中させるため、停止中のときだけ表示を切り換え、操作させるためである。
【手続補正１５】
【補正対象書類名】図面
【補正対象項目名】図２３
【補正方法】変更
【補正の内容】
【図２３】
2004304734.tif 000001